(57)【特許請求の範囲】
【請求項１】
糊面を内側にして折畳んだ糊付壁紙を折畳んだ状態で積載できる長方形の底部と、該底部の短辺に隣接した２つの折返し部と、前記底部の長辺に隣接した２つの折返し部とを備えた非透湿性材料からなる扁平ケースを設け、該扁平ケースの底部とその短辺側折返し部とを跨ぐとともに底部の短辺より巾広の湿潤性の布状物を着脱可能に設け、前記各短辺側折返し部に互いを結着する紐体を設け、かつ、前記長辺側折返し部の重ね合わせ部間に互いに結着できるように面状結着具を設けたことを特徴とする糊付壁紙用梱包ケース。
【請求項２】
前記扁平ケースの底部の外表面に、底部の長さ方向の中央部を挟んだ対向位置に２条のベルト状物を直交状に設けるとともに、該２条のベルト状物の片側における端部同士を環状に結んで把手としたことを特徴とする請求項１に記載の糊付壁紙用梱包ケース。
【請求項３】
前記扁平ケースが、外面をＵＶカット加工をした傘生地からなることを特徴とする請求項１又は２に記載の糊付壁紙用梱包ケース。
【請求項４】
前記湿潤性の布状物が、セーム革又はタオル地であることを特徴とする請求項１〜３のうちの１に記載の糊付壁紙用梱包ケース。
【発明の詳細な説明】
【技術分野】
【０００１】
本発明は、予め、内装する壁の高さ寸法に裁断して糊を付着させた壁紙を、その糊面を内側にして折畳んだ糊付壁紙を必要枚数積層収容し、糊が乾燥しないように保管ないし移送するための糊付壁紙用梱包ケースに関するものである。
【背景技術】
【０００２】
従来、内装施工しようとする壁面に貼る壁紙の裏面への糊付には、施工室内に持ち込んだ糊付機を用いて行っていたが、最近では糊付機の持ち込みをしないで内装施工するようになっている。すなわち、予め、内装しようとする壁の高さ寸法を測り、その寸法に裁断して施工者の自宅内（社内）に設置の糊付機を利用して糊を裏面に付着させた壁紙を、その糊面を内側にして折畳んだものを必要枚数重ねて収容するためのケース、たとえば、特開２００１−３３４７９８が開発されている。これは非透湿性の材料であるプラスチックシートにて長方形の平袋を作り、該平袋の長手方向の一縁を開口部とし、該開口部に折返し部を備えたものである。これは糊面を内側にして折畳んだ糊付壁紙を開口部より必要枚数積層収容し、折返し部を閉じて糊が乾燥しないように保管（養生）し、この袋詰めの状態で現場に持ち込み、現場において、糊付壁紙を平袋から１枚づつ取り出して壁面の内装施工を行っていた。
【特許文献１】特開２００１−３３４７９８号公報
【発明の開示】
【発明が解決しようとする課題】
【０００３】
しかしながら、上記特開２００１−３３４７９８によれば、糊付機にて糊付け後、その糊面を内側にして折畳んだ糊付壁紙を平袋に必要枚数積層収容するが、そのためには糊付壁紙を両手で支持し、折返し部を開放させながら行うこととなるが、一人では到底収容できず、必ず助手の手を借りる必要があったばかりでなく、現場にて平袋からの取り出しも同様に容易ではなかった。しかも、平袋が非透湿性の材料にて作られているとしても、折返し部で覆った開口部の角部からの空気の流通があり得、施工時に壁紙の合わせ縁になる縁部（エッジ部）において乾燥が進んで施工後目開きするおそれがあった。
【０００４】
本発明は、上記のような問題点を解決するためのもので、糊付機にて糊付け後、糊面を内側にして折畳んだ糊付壁紙を、一人で容易に収容できる上に、現場での取り出しも容易にでき、しかも、施工時に壁紙の合わせ縁になる縁部（エッジ部）が湿潤性の布状物にて保護された状態にて長時間空気の流通をなくして保管や移送ができ、施工後に目開きするおそれのない糊付壁紙用梱包ケースを提供することを目的としている。
【課題を解決するための手段】
【０００５】
上記目的を達成するため、本発明に係る糊付壁紙用梱包ケースは、糊面を内側にして折畳んだ糊付壁紙を折畳んだ状態で積載できる長方形の底部と、該底部の短辺に隣接した２つの折返し部と、前記底部の長辺に隣接した２つの折返し部とを備えた非透湿性材料からなる扁平ケースを設け、該扁平ケースの底部とその短辺側折返し部とを跨ぐとともに底部の短辺より巾広の湿潤性の布状物を着脱可能に設け、前記各短辺側折返し部に互いを結着する紐体を設け、かつ、前記長辺側折返し部の重ね合わせ部間に互いに結着できるように面状結着具を設けたことを特徴とし、非透湿性の扁平ケースを展開した状態で糊付壁紙を底部に乗せるだけであるから収容が簡単であり、しかも、湿潤性の布状物にて糊付壁紙の縁部（エッジ部）を乾燥させない状態で包み込んで現場までの移送ができ、また、取り出しも展開した状態で容易にできるように構成した。
【０００６】
また、請求項２に記載の糊付壁紙用梱包ケースは、前記扁平ケースの底部の外表面に、底部の長さ方向の中央部を挟んだ対向位置に２条のベルト状物を直交状に設けるとともに、該２条のベルト状物の片側における端部同士を環状に結んで把手としたことを特徴とし、現場までの移送に把手が利用できるように構成した。
【０００７】
さらに、請求項３に記載の糊付壁紙用梱包ケースは、前記扁平ケースが、外面をＵＶカット加工をした傘生地からなることを特徴とし、ケース体自体がＵＶカット加工した外面と内面とが異なる色になることが多く、表裏が明確に区別できるとともに軽量化が実現できるように構成した。
【０００８】
さらに、請求項４に記載の糊付壁紙用梱包ケースは、前記湿潤性の布状物が、セーム皮又はタオル地であることを特徴とし、セーム革又はタオル地はこれに水分を含ませることにより湿潤状態を長時間保ち、収容した糊付壁紙の縁部（エッジ部）の乾燥を確実に防げるように構成した。
【発明の効果】
【０００９】
本発明によれば、糊面を内側にして折畳んだ糊付壁紙を折畳んだ状態で積載できる長方形の底部と、該底部の短辺に隣接した２つの折返し部と、前記底部の長辺に隣接した２つの折返し部とを備えた非透湿性材料からなる扁平ケースは、展開した状態で糊付壁紙を収容できる上に、該扁平ケースはその底部と短辺側折返し部とを跨ぐとともに底部の短辺より巾広の湿潤性の布状物を着脱可能に設けているので、該布状物に水分を含ませておくと、積層収容した糊付壁紙の縁部（エッジ部）を乾燥させることのない状態で包み込んで現場まで移送できる。さらに、各短辺側折返し部に互いを結着する紐体を設けているので、該紐体を結着するとともに、前記長辺側折返し部の重ね合わせ部間に互いに結着できるように面状結着具を設けているので、糊付壁紙を確実に梱包でき、しかも、折返し部の紐体を解き、重ね合わせ部の面状結着具を一部外すだけで部分的に開口が可能となり、一枚を取り出した後、直ぐに元の梱包状態に戻せるので、内装施工完了まで糊付壁紙の乾燥を有効
に防止できるなど各種の優れた効果を奏する。
【００１０】
また、請求項２によれば、前記扁平ケースの底部の外表面に、底部の長さ方向の中央部を挟んだ対向位置に２条のベルト状物を直交状に設けているので、折り畳んだ糊付壁紙の積層体を確り支えることができる。しかも、該ベルト状物の片側における端部同士を環状に結んで把手にしているので、この把手が現場までの移送に利用できるという優れた効果を奏する。
【００１１】
さらに、請求項３によれば、前記扁平ケースが、外面をＵＶカット加工をした傘生地からなり、たとえば、外シルバー、内ブルーの如く表裏が明確化し、糊付壁紙の梱包時にケースの表裏を間違えることがなく、軽量化が実現できるという優れた効果を奏する。
【００１２】
さらに、請求項４によれば、前記湿潤性の布状物を構成するセーム革又はタオル地は、水分を含ませることにより湿潤状態を長時間保てるので、収容した糊付壁紙の縁部（エッジ部）の乾燥を梱包中確実に防ぐことができるという優れた効果を奏する。
【発明を実施するための最良の形態】
【００１３】
次に、本発明の実施の態様を添付図面に基づいて説明する。図１は本願梱包ケースの展開時の平面図、図２は本願梱包ケースの縁取りを示す拡大断面図、図３は本願梱包ケースと湿潤性の布状物との着脱具の一例を示す拡大断面図、図４は糊付壁紙を長方形の襞状に折り方を示す斜視図、図５は展開した本願梱包ケースに糊付壁紙の積層体を置いた状態の斜視図、図６は本願梱包ケースの頭尻翼部で積層体を覆った状態の斜視図、図７は左右翼部で積層体を覆って把手が現れた状態の斜視図、図８は現場で本願梱包ケースから糊付壁紙を取り出す状態の斜視図である。
【００１４】
糊付壁紙用梱包ケース１００は、非透湿性材料からなる扁平ケース１の底部２を中央に
してその短辺側２ａに２つの折返し部３、３′を、その長辺側２ｂに２つの折返し部４、
４′をそれぞれ設けている。前記扁平ケース１の底部２と短辺側折返し部３、３′を跨ぐ
とともに底部の短辺より巾広の湿潤性の布状物５が、面状結着具（ベルベット式ファスナー）６、６′を介して着脱可能に設けられている。また、各短辺側折返し部３、３′は、互いを結着するための紐体７、７′が設けられている。さらに、前記長辺側折返し部４、４′は折返すことにより互いに重ね合わせ得るようになっているとともに、その重ね合わされる長辺側折返し部４、４′間には、互いに結着できる複数個の面状結着具８、８′が設けられている。
【００１５】
前記扁平ケース１は、非透湿性材料からなる。特に、傘生地を利用するとよい。傘生地を裁断しただけでは周縁部においてホツレ易いので、図２の如く、縁布９を袋状にして縫着して逢着部１０を形成してなる。また、前記湿潤性の布状物５は、図３の如く、扁平ケース１との間に面状結着具６、６′を介して着脱自在になるようにしているが、布状物５側の面状結着具６′は、雌側（ループ）を使用している。すなわち、布状物５に付着した糊成分や埃を洗濯機などで洗濯するときに雄側（鉤）では他の布製品に絡みついて傷付けるが、雌側（ループ）であれば、絡み付かせないので好ましい。更に、前記長辺折返し部４、４′の重ね合わせ部間に設けた面状結着具８、８′は、雌側（ループ）か雄側（鉤）かは問わないが、一方を横状、他方を縦状に設置して十字状に結着できるようにすると、合わせ面の多少のズレを吸収できるので好都合である。
【００１６】
前記本願梱包ケース１００は、次の如く使用する。まず、扁平ケース１を、図１の如く
展開し、予め、内装しようとする壁の高さを測り、その寸法に裁断した壁紙の裏面に糊付
機（図示せず）により糊（接着剤）ａを付着させた後、図４の如く糊面（点模様）を内側にして襞状（Ｅの字状）に長方形状になるように折畳んで糊付壁紙ｂを作る。この折始めｂ′と折終わりｂ″の端部を少し長めにして端部同士を合わせておくとよい。しかして、糊付壁紙ｂを前記扁平ケース１の底部２の上に折畳んだ状態で載置し、図５の如く、必要枚数を積層する。この場合、糊付壁紙ｂの縁部（エッジ部）ｃ、ｃ′を、水を含ませてある前記湿潤性の布状物５上に乗せ、短辺側折返し部３、３′を湿潤性の布状物５と共に、図６の如く折返すと前記糊付壁紙ｂの縁部（エッジ部）ｃ、ｃ′は湿潤性の布状物５に覆われ、乾燥させない状態にてなることとなり、その後は短辺側折返し部３、３′に設けた紐体７、７′を結着して安定化させる。
【００１７】
前記扁平ケース１の底部２の外表面（図１において裏面）には、底部２の長さ方向の中央部を挟んで対向する２条のベルト状物１１、１１′を直交状に縫着する。この逢着端部は長辺側折返し部４、４′まで延びている。このベルト状物１１、１１′の片側における端部同士には、環状に把手１２、１２′が連繋されている。このベルト状物１１、１１′と環状把手１２、１２′は、全体的に環状の一体物であってもよい。前記底部２の中央部を挟んで対向位置に縫着したベルト状物１１、１１′は、積層した糊付壁紙ｂを撓ませないように支持する上で有効である。また、環状把手１２、１２′は、扁平ケース１の展開時には、扁平ケース１の下側に隠れているが、長辺側折返し部４、４′の重ね合わせ面に設けた面状結着具８、８′で結着して梱包を完了したときには、前記把手１２、１２′は、図７の如く表側に現れ、移送時に活用できるようになっている。
【００１８】
また、前記扁平ケース１は、前述の如く、傘生地からなり、しかも、梱包時の外面にはＵＶカット加工が施されているときは、外面が銀色（シルバー）、内面が生地の色（例えばブルー）になり、表裏が明確に区別でき、常に、扁平ケース１の表裏を間違えることなく利用できるし、全体的に軽量化を実現できる。
【００１９】
さらに、前記湿潤性の布状物５は、その材質は特に問わないが、水分を含ませることにより湿潤状態を長時間保つものがよい。この例として、例えば、セーム革又はタオル地がある。セーム革はカモシカや羊などのなめし皮である。タオル地は表面がパイルで覆われた生地である。いずれも水分を含ませることにより湿潤状態を長時間保つことから、糊付壁紙ｂの縁部（エッジ部）の乾燥を長時間確実に防ぐために有効である。勿論、セーム革又はタオル地以外に水分を含ませることにより湿潤状態を長時間保つものがあれば、それを選択することはできる。
【００２０】
前記本願梱包ケース１００により梱包された糊付壁紙ｂは、内装しようとする壁のある現場において梱包を解いて糊付壁紙ｂを取り出して貼り作業に移るが、前記扁平ケース１はこれを完全に展開するように梱包を解除してもよいが、図８の如く、梱包の端部を部分的に解除して一枚づつ糊付壁紙ｂを取り出すようにするとよい。すなわち、長辺折返し部４、４′を結着していた面状結着具８、８′のうちの一部を解除して重ね合わせ部を部分的に襟元を開くように小さく開いて糊付壁紙ｂの短辺側を露出させ、しかる後、最上段の糊付壁紙ｂを両手で掴んで１枚引出してから糊付壁紙ｂの露出部分を襟元を閉じるように重ね合わせ部を閉じておくとよい。すなわち、最上段の糊付壁紙ｂの一枚が貼り終わると直ぐに重ね合わせ部を再度小さく開くことが必要となるからである。
【産業上の利用可能性】
【００２１】
本願梱包ケース１００は、予め、内装しようとする壁の高さ寸法を測って裁断して糊を付着させた壁紙（壁紙を代表として天井紙その他もある）を、その糊面を内側にして折畳み、その糊付壁紙を必要枚数積層収容し、糊が乾燥しないような状態にて保管ないし移送できるものであり、部屋の内装業者を始めとして広く産業に利用できることから産業上の利用可能性は極めて高いものである。
【図面の簡単な説明】
【００２２】
【図１】本願梱包ケースの展開時の平面図である。
【図２】本願梱包ケースの縁取りを示す拡大断面図である。
【図３】本願梱包ケースと湿潤性の布状物との着脱具の一例を示す拡大断面図である。
【図４】糊付壁紙を長方形の襞状に折り方を示す斜視図である。
【図５】展開した本願梱包ケースに糊付壁紙の積層体を置いた状態の斜視図である。
【図６】本願梱包ケースの頭尻翼部で積層体を覆った状態の斜視図である。
【図７】左右翼部で積層体を覆って把手が現れた状態の斜視図である。
【図８】本願梱包ケースから糊付壁紙を取り出す状態の斜視図である。
【符号の説明】
【００２３】
１  扁平ケース
２  底部
３、３′  短辺折返し部
４、４′  長辺折返し部
５  湿潤性の布状物
６、６′  面状結着具（ベルベット式ファスナー）
７、７′  紐体
８、８′  面状結着具
９  縁布
１０  縫着部
１１、１１′  ベルト状物
１２、１２′  環状把手
ａ  糊
ｂ  糊付壁紙
ｂ′折始め
ｂ″  折終わり
ｃ、ｃ′  糊付壁紙の縁部（エッジ部）
【図１】
0005518389.tif 000002
【図２】
0005518389.tif 000003
【図３】
0005518389.tif 000004
【図４】
0005518389.tif 000005
【図５】
0005518389.tif 000006
【図６】
0005518389.tif 000007
【図７】
0005518389.tif 000008
【図８】
0005518389.tif 000009